【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
空気中の浮遊粒子状物質を帯電させる帯電部と、前記帯電部の下流側に配置され帯電された前記浮遊粒子状物質を捕集する集じん部と、前記帯電部と前記集じん部内に前記浮遊粒子状物質を流入させる送風手段と、前記浮遊粒子状物質を捕集するために前記帯電部と前記集じん部に高電圧を供給する高圧発生手段とを備え、前記帯電部は高電圧を印加する導電性物質の放電電極とアースに接続された導電性物質の接地極板とから構成され、前記接地極板を体積抵抗率が１０10〜１０13［Ω・ｃｍ］のフィルムで被覆した電気集じん機。
【請求項２】
フィルムの厚みを５０［μｍ］〜４００［μｍ］とした請求項１記載の電気集じん機。
【請求項３】
帯電部の接地極板の端部も覆われるようにフィルムで被覆した請求項１または２記載の電気集じん機。
【請求項４】
フィルムを接着剤を介して被覆した請求項１〜３いずれか記載の電気集じん機。
【請求項５】
帯電部の接地極板をフィルムで両側から覆い、前記接地極板の周囲を熱によってフィルム同士を溶かして接着させた請求項１〜４いずれか記載の電気集じん機。
【請求項６】
帯電部の接地極板として、金属板の表面に穴の開いた金属板を使用した請求項５記載の電気集じん機。
【請求項７】
帯電部の接地極板に、体積抵抗率が１０10〜１０13［Ω・ｃｍ］の樹脂をコーティングした請求項１記載の電気集じん機。
【請求項８】
集じん部は高電圧を印加する導電性物質の荷電極板とアースに接続された導電性物質の接地極板から構成され、集じん部の荷電極板を体積抵抗率が１０9［Ω・ｃｍ］以上のフィルムで被覆した請求項１〜７いずれか記載の電気集じん機。
【請求項９】
フィルムの厚みを３０［μｍ］〜４００［μｍ］とした請求項８記載の電気集じん機。
【請求項１０】
荷電極板の端部も覆われるようにフィルムで被覆した請求項８または９いずれか記載の電気集じん機。
【請求項１１】
フィルムを接着剤を介して被覆した請求項８〜１０いずれか記載の電気集じん機。
【請求項１２】
集じん部の荷電極板をフィルムで両側から覆い、前記荷電極板の周囲を熱によってフィルム同士を溶かして接着させた請求項８〜１０いずれか記載の電気集じん機。
【請求項１３】
集じん部の荷電極板として、金属板の表面に穴の開いた金属板を使用した請求項１２記載の電気集じん機。
【請求項１４】
集じん部の荷電極板に、体積抵抗率が１０9［Ω・ｃｍ］以上の樹脂をコーティングした請求項項８記載の電気集じん機。
【請求項１５】
コーティングの厚みを１００［μｍ］〜４００［μｍ］とした請求項７または１４記載の電気集じん機。
【請求項１６】
帯電部の接地極板を被覆するフィルムまたはコーティングする材料は樹脂材料であって、前記樹脂材料の厚み方向に流れる電流に対する単位面積当りの抵抗を１０8〜１０10［Ω・ｃｍ2］とした請求項１〜１５いずれか記載の電気集じん機。
【請求項１７】
帯電部の接地極板を被覆するフィルムまたはコーティングする材料は樹脂材料であって、前記樹脂材料は基材にイオン性導電剤を混ぜ込むことによって電気抵抗を調整した請求項１６記載の電気集じん機。
【請求項１８】
帯電部の接地極板を被覆するフィルムまたはコーティングする材料は樹脂材料であって、前記樹脂材料の基材としてポリフッ化ビニリデン系樹脂を用いた請求項１６または１７記載の電気集じん機。
【請求項１９】
帯電部の接地極板を被覆するフィルムまたはコーティングする材料は樹脂材料であって、前記樹脂材料の厚み方向に流れる電流に対する単位面積当りの抵抗Ｒｓ［Ω・ｃｍ2］と、前記樹脂材料の厚み方向に流れる単位面積当りの電流Ｉｓ［Ａ／ｃｍ2］とから算出される前記樹脂材料の厚み方向に流れる単位面積当りのエネルギー密度Ｗｓ［Ｗ／ｃｍ2］（Ｗｓ＝Ｉｓ2×Ｒｓ）が２×１０-3［Ｗ／ｃｍ2］以下になるように、高圧発生手段から供給される前記帯電部への印加電圧Ｖを制御した請求項１８記載の電気集じん機。
【請求項２０】
帯電部の接地極板を被覆するフィルムまたはコーティングする材料は樹脂材料であって、前記樹脂材料の厚み方向に流れる電流に対する単位面積当りの抵抗Ｒｓ［Ω・ｃｍ2］に対し、前記樹脂材料の絶縁破壊電圧Ｖｍａｘ［ｋＶ］が、Ｖｍａｘ≧４（ｌｏｇＲｓ）−２８を満たす範囲に設定された請求項１８または１９記載の電気集じん機。
【請求項２１】
帯電部の接地極板を被覆するフィルムまたはコーティングする材料は樹脂材料であって、前記樹脂材料の絶縁破壊電圧Ｖｍａｘ［ｋＶ］と、高圧発生手段から供給される前記帯電部への印加電圧Ｖ［ｋＶ］との関係が、常にＶｍａｘ＞Ｖを満たすように前記印加電圧Ｖ［ｋＶ］が設定された請求項２０記載の電気集じん機。
【請求項２２】
帯電部の接地極板を被覆するフィルムまたはコーティングする材料は樹脂材料であって、前記帯電部の放電電極と前記接地極板との間にコロナ放電として流れる電流が一定となるように高圧発生手段から供給される前記帯電部への印加電圧Ｖが制御された請求項２１記載の電気集じん機。
【請求項２３】
帯電部の接地極板を被覆するフィルムまたはコーティングする材料は樹脂材料であって、前記帯電部の放電電極と前記接地極板との間にコロナ放電として流れる電流を一定にするために設定された前記帯電部への印加電圧Ｖ［ｋＶ］と、前記樹脂材料の絶縁破壊電圧Ｖｍａｘ［ｋＶ］との差Ｋ＝Ｖｍａｘ−Ｖが所定値以下になった場合、制御器より警報信号が出力されるようにした請求項２２記載の電気集じん機。
【請求項２４】
帯電部の放電電極は、接地極板に平行に配置された平面形状の金属板で、前記金属板の端面に複数の突起を設けた請求項１６〜２３いずれか記載の電気集じん機。
【請求項２５】
帯電部に平行配置された接地極板と放電電極との距離Ｄ［ｍｍ］が、前記放電電極の複数の隣り合う突起の間隔Ｈ［ｍｍ］に対し、Ｈ／Ｄ＝１．０〜１．５の範囲に設定された請求項２４記載の電気集じん機。
【請求項２６】
集じん部の荷電極板を被覆するフィルムまたはコーティングする材料は樹脂材料であって、前記樹脂材料の絶縁破壊電圧Ｖｍａｘ［ｋＶ］と、高圧発生手段から供給される前記集じん部への印加電圧Ｖ［ｋＶ］との関係が、常にＶｍａｘ＞Ｖを満たすように前記印加電圧Ｖ［ｋＶ］が設定された請求項８〜２５いずれか記載の電気集じん機。
【手続補正２】
【補正対象書類名】明細書
【補正対象項目名】０００２
【補正方法】変更
【補正の内容】
【０００２】
従来、この種の電気集じん機として、例えば特許文献１のようなものが知られている。以下、その電気集じん機について図８および図９を参照しながら説明する。
【手続補正３】
【補正対象書類名】明細書
【補正対象項目名】０００３
【補正方法】変更
【補正の内容】
【０００３】
図８に示すように、電気集じん機は帯電部７１と集じん部７２と送風ファン７３と電子コントロールボックス７４からなり、電子コントロールボックス７４内に図示しない高電圧発生装置と電気集じん機を制御する図示しない制御部を備えている。帯電部７１と集じん部７２は図９に示すように、帯電部７１は高電圧電源に接続された放電極８１と接地された金属板８２が交互にお互いが接触せずに平行に一定の間隔を保って配置されている。また同じように集じん部７２は高電圧電源に接続された金属板８３と接地された金属板８４が交互にお互いが接触せずに平行に一定の間隔を保って配置されている。高電圧電源から高電圧を印加することで、帯電部７１では高電圧電源に接続された放電極８１と接地された金属板８２との間でコロナ放電を発生させ微粒子を帯電させ、集じん部７２では高電圧電源に接続された金属板８３と接地された金属板８４との間で発生している電界により帯電した微粒子が捕集されることにより、空気中の微粒子を除去することができ空気を清浄化することが出来る。
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００６３
【補正方法】削除
【補正の内容】
【手続補正９】
【補正対象書類名】明細書
【補正対象項目名】００６４
【補正方法】削除
【補正の内容】
【手続補正１０】
【補正対象書類名】明細書
【補正対象項目名】００６５
【補正方法】削除
【補正の内容】
【手続補正１１】
【補正対象書類名】明細書
【補正対象項目名】００６６
【補正方法】削除
【補正の内容】
【手続補正１２】
【補正対象書類名】明細書
【補正対象項目名】００９０
【補正方法】削除
【補正の内容】
【手続補正１３】
【補正対象書類名】明細書
【補正対象項目名】００９１
【補正方法】削除
【補正の内容】
【手続補正１４】
【補正対象書類名】明細書
【補正対象項目名】０１０２
【補正方法】削除
【補正の内容】
【手続補正１５】
【補正対象書類名】明細書
【補正対象項目名】０１０３
【補正方法】削除
【補正の内容】
【手続補正１６】
【補正対象書類名】明細書
【補正対象項目名】０１１９
【補正方法】変更
【補正の内容】
【０１１９】
（実施の形態５）
図１０は本発明の実施の形態５を示す電気集じん機の構成図、図７は本発明の実施の形態５を示す帯電部と集じん部の斜視図、図１１は本発明の実施の形態５を示す帯電部の放電電極詳細図である。
【手続補正１７】
【補正対象書類名】明細書
【補正対象項目名】０１２０
【補正方法】変更
【補正の内容】
【０１２０】
図１０に示すように、ダクト９０内に、空気中の浮遊粒子状物質を帯電させる帯電部９１と、帯電された浮遊粒子状物質を捕集する集じん部９２とを備え、集じん部９２の下流には、ダクト９０内に浮遊粒子状物質を含んだ空気を引き込むための電動機９３ａを有する送風手段９３（一例として軸流ファン）を備えている。９４は、帯電部９１と集じん部９２に高電圧を供給する高圧発生手段（一例として直流高圧電源）で、制御器９５に電気的に接続されている。９６は、集じん部９２近傍に取り付けられた風速センサで、電動機９３ａとともに制御器９５に電気的に接続されている。
【手続補正１８】
【補正対象書類名】明細書
【補正対象項目名】０１２１
【補正方法】変更
【補正の内容】
【０１２１】
図７は帯電部９１と集じん部９２の斜視図であり、帯電部９１は高電圧を印加する導電性物質（一例としてステンレス）の放電電極１０１とアースに接続された導電性物質（一例としてステンレス）の接地極板１０２が交互に配置されており、集じん部９２は高電圧を印加する導電性物質（一例としてステンレス）の荷電極板１０３とアースに接続された導電性物質（一例としてステンレス）の接地極板１０４が交互に配置されている。導電性物質はここではステンレスとしたがアルミニウムや導電性塗料や導電性フィルムなどでもよい。図７においては、帯電部９１の放電電極１０１と接地電極１０２との隙間、および集じん部９２の荷電電極１０３と接地電極１０４との隙間を矢印の如く空気が流れ、帯電部９１において放電電極１０１と接地電極１０２との間に発生したコロナ放電によって空気中の浮遊粒子状物質が正電位に帯電され、集じん部９２において荷電極板１０３と接地極板１０４との間に発生した電界によって、正電位に帯電した浮遊粒子状物質がクーロン力により接地極板１０４（負極）に付着、捕集される。
【手続補正１９】
【補正対象書類名】明細書
【補正対象項目名】０１３６
【補正方法】変更
【補正の内容】
【０１３６】
【図１】本発明の実施の形態１の電気集じん機を示す構成図
【図２】同帯電部と集じん部の詳細図
【図３】同フィルム被覆方法の断面図
【図４】本発明の実施の形態２のフィルム被覆方法の断面図
【図５】本発明の実施の形態３のフィルム被覆方法の断面図
【図６】本発明の実施の形態４の樹脂被覆の断面図
【図７】同帯電部と集じん部の斜視図
【図８】従来の電気集じん機の一例を示す図
【図９】電気集じん機の原理を示す図
【図１０】本発明の実施の形態５の電気集じん機を示す構成図
【図１１】同帯電部の放電電極詳細図（（ａ）同図１０のＡ方向矢視平面図、（ｂ）同図１０のＢ方向矢視側面図）